(57)【特許請求の範囲】
【請求項１】
老人ホームや高齢者用の集合住宅の管理室等に設置され、居住者の在室時に生活上の異変を検知する生活情報監視盤（１）と、前記居住者の動きを検知したとき設定に応じてワンショットのメイク信号またはブレイク信号を出力する人体感知センサ（４）が接続され、前記人体感知センサが居住者の動きを検知してメイク信号を出力するように設定された場合、前記人体感知センサが前記居住者の動きを検知していないブレイク状態が生活異変監視タイマ（３７）で設定した時間以上継続すると生活異変であることを検出する住戸アダプター（３）とを備え、
前記住戸アダプターは、前記生活情報監視盤と、前記生活情報監視盤と通信する居室親機（２）、前記生活情報監視盤との拡声通話を放音する天井スピーカ（９）および前記生活異変であることが検出されたとき点滅動作する廊下灯（１１）とにそれぞれ接続され、
前記住戸アダプターは、前記人体感知センサが居住者の動きを検知してブレイク信号を出力するように誤って設定されているとき、前記人体感知センサが前記居住者の動きを検知していないメイク状態が継続される時間を監視し、前記メイク状態が前記生活異変監視タイマで設定した時間よりも短く設定された時間以上継続すると警告音を前記天井スピーカおよび（または）前記居室親機のスピーカ（２ａ）より出力し、かつ前記廊下灯を点滅動作させるための誤設定監視タイマ（３６）を有することを特徴とする生活異変感知システム。
【請求項２】
老人ホームや高齢者用の集合住宅の管理室等に設置され、居住者の在室時に生活上の異変を検知する生活情報監視盤（１）と、前記居住者の動きを検知したとき設定に応じてワンショットのメイク信号またはブレイク信号を出力する人体感知センサ（４）が接続され、前記人体感知センサが居住者の動きを検知してブレイク信号を出力するように設定された場合、前記人体感知センサが前記居住者の動きを検知していないメイク状態が前記人体感知センサからのメイク信号の出力が生活異変監視タイマ（３７）で設定した時間以上継続すると生活異変であることを検出する住戸アダプター（３）とを備え、
前記住戸アダプターは、前記生活情報監視盤と、前記生活情報監視盤と通信する居室親機（２）、前記生活情報監視盤との拡声通話を放音する天井スピーカ（９）および前記生活異変であることが検出されたとき点滅動作する廊下灯（１１）とにそれぞれ接続され、
前記住戸アダプターは、前記人体感知センサが居住者の動きを検知してメイク信号を出力するように誤って設定されているとき、前記人体感知センサが前記居住者の動きを検知していないブレイク状態が継続される時間を監視し、前記ブレイク状態が前記生活異変監視タイマで設定した時間よりも短く設定された時間以上継続すると警告音を前記天井スピーカおよび（または）前記居室親機のスピーカ（２ａ）より出力し、かつ前記廊下灯を点滅動作させるための誤設定監視タイマ（３６）を有することを特徴とする生活異変感知システム。
【請求項３】
前記住戸には、前記生活異変監視タイマおよび前記誤設定監視タイマでカウントされる時間を変更する時間設定部（１２）を有することを特徴とする請求項１または請求項２記載の生活異変感知システム。
【発明の詳細な説明】
【０００１】
【発明の属する技術分野】
【０００２】
本発明は生活異変感知システムに係り、特に居住者の動きを検知したとき設定に応じてメイク信号またはブレイク信号を出力する人体感知センサを備える生活異変感知システムに関する。
【従来の技術】
【０００３】
従来から、この種の生活異変感知システムとしては、図４に示すような構成のものが知られている。同図において、従来の生活異変感知システムは、生活情報監視盤５１と、居室親機５２と、住戸アダプター５３と、人体感知センサ５４と、在／不在設定ボタン５５と、電気錠５６と、呼出ボタン５７と、天井マイク５８と、天井スピーカ５９と、ドアホン６０と、廊下灯６１とを備えている。ここで、生活情報監視盤５１は、伝送路Ｌ１０を介して住戸アダプター５３に接続され、この住戸アダプター５３には、居室親機５２、人体感知センサ５４、在／不在設定ボタン５５、電気錠５６、呼出ボタン５７、天井マイク５８、天井スピーカ５９、ドアホン６０および廊下灯６１が接続されている。
【０００４】
このように構成された生活異変感知システムにおいて、施工時に、人体感知センサ５４を構成するメイク／ブレイク設定ＳＷ（不図示）を、人体感知センサ５４が居住者の動きを検知した場合にメイク信号を出力するように設定（以下「メイク設定」という。）した場合、人体感知センサ５４が居住者の動きを検知すると、図５（ａ）に示すように、人体感知センサ５４からワンショットのメイク信号Ｓ１０が出力され、また、人体感知センサ５４が居住者の動きを検知しないと、人体感知センサ５４からブレイク信号Ｓ２０が出力される。ここで、住戸アダプター５３に内蔵された生活異変監視タイマ（不図示）は、ブレイク信号Ｓ２０が出力する時間を監視しており、ブレイク信号Ｓ２０の出力が設定した時間（例えば１２時間）を継続すると、居住者に生活上の異変が生じたとして、住戸アダプター５３から生活異変信号が出力されるように構成されている。
【０００５】
したがって、施工時に、人体感知センサ５４のメイク／ブレイク設定ＳＷをメイク設定にした場合においては、生活異変監視タイマがブレイク信号Ｓ２０を１２時間以上検知すると、住戸アダプター５３から生活異変信号が出力され、この生活異変信号が廊下灯６１および生活情報監視盤５１へ送出される。これにより、廊下灯６１が点滅し、また、生活情報監視盤５１が設置される管理室等に対して当該住戸の居住者に生活上の異変が生じていることが報知される。
【発明が解決しようとする課題】
【０００６】
しかしながら、人体感知センサ５４のメイク／ブレイク設定ＳＷを、人体感知センサ５４が居住者の動きを検知した場合にブレイク信号を出力するように設定（以下「ブレイク設定」という。）した場合においては、人体感知センサ５４が居住者の動きを検知すると、図５（ｂ）に示すように、人体感知センサ５４からワンショットのブレイク信号Ｓ２０が出力され、人体感知センサ５４が居住者の動きを検知しないと、人体感知センサ５４からメイク信号Ｓ１０が出力されることになる。従って、施工時に、誤って、メイク／ブレイク設定ＳＷをブレイク設定にすると、当該住戸の居住者に生活上の異変が生じていても、すなわち、居住者の動きが検知されない場合でも、人体感知センサ５４からはメイク信号Ｓ１０が出力されブレイク信号Ｓ２０が出力されないことから、住戸アダプター５３の生活異変監視タイマが動作しないことになり、ひいては居住者の生活異変が検知されないという難点があった。
【０００７】
本発明は、このような難点を解決するためになされたもので、居住者の生活異変を検知する人体感知センサのメイク／ブレイク設定ＳＷの誤設定を防止することができる生活異変感知システムを提供することを目的とする。
【課題を解決するための手段】
【０００８】
上記の目的を達成するため、本発明の生活異変感知システムは、老人ホームや高齢者用の集合住宅の管理室等に設置され、居住者の在室時に生活上の異変を検知する生活情報監視盤と、居住者の動きを検知したとき設定に応じてワンショットのメイク信号またはブレイク信号を出力する人体感知センサが接続され、人体感知センサが居住者の動きを検知してメイク信号を出力するように設定された場合、人体感知センサが居住者の動きを検知していないブレイク状態が生活異変監視タイマで設定した時間以上継続すると生活異変であることを検出する住戸アダプターとを備え、住戸アダプターは、生活情報監視盤と、生活情報監視盤と通信する居室親機、生活情報監視盤との拡声通話を放音する天井スピーカおよび生活異変であることが検出されたとき点滅動作する廊下灯とにそれぞれ接続され、住戸アダプターは、人体感知センサが居住者の動きを検知してブレイク信号を出力するように誤って設定されているとき、人体感知センサが居住者の動きを検知していないメイク状態が継続される時間を監視し、メイク状態が生活異変監視タイマで設定した時間よりも短く設定された時間以上継続すると警告音を天井スピーカおよび（または）居室親機のスピーカより出力し、かつ廊下灯を点滅動作させるための誤設定監視タイマを有する。
【０００９】
また、本発明の生活異変感知システムは、老人ホームや高齢者用の集合住宅の管理室等に設置され、居住者の在室時に生活上の異変を検知する生活情報監視盤と、居住者の動きを検知したとき設定に応じてワンショットのメイク信号またはブレイク信号を出力する人体感知センサが接続され、人体感知センサが居住者の動きを検知してブレイク信号を出力するように設定された場合、人体感知センサが居住者の動きを検知していないメイク状態が人体感知センサからのメイク信号の出力が生活異変監視タイマで設定した時間以上継続すると生活異変であることを検出する住戸アダプターとを備え、住戸アダプターは、生活情報監視盤と、生活情報監視盤と通信する居室親機、生活情報監視盤との拡声通話を放音する天井スピーカおよび生活異変であることが検出されたとき点滅動作する廊下灯とにそれぞれ接続され、住戸アダプターは、人体感知センサが居住者の動きを検知してメイク信号を出力するように誤って設定されているとき、人体感知センサが居住者の動きを検知していないブレイク状態が継続される時間を監視し、ブレイク状態が生活異変監視タイマで設定した時間よりも短く設定された時間以上継続すると警告音を天井スピーカおよび（または）居室親機のスピーカより出力し、かつ廊下灯を点滅動作させるための誤設定監視タイマを有する。
【００１０】
また、本発明の生活異変感知システムにおける住戸には、生活異変監視タイマおよび誤設定監視タイマでカウントされる時間を変更する時間設定部を有する。
【００１１】
本発明の生活異変感知システムによれば、施工時に、人体感知センサのメイク／ブレイク設定ＳＷの設定を誤ると、誤設定監視タイマが作動して天井スピーカや居室親機のスピーカ等から警告音が放音するように構成されていることから、施工時におけるメイク／ブレイク設定ＳＷの誤設定を防止することができる。
【発明の実施の形態】
【００１２】
以下、本発明の生活異変感知システムを適用した好ましい実施の形態例について、図面を参照して詳述する。
【００１３】
本発明の生活異変感知システムは、図１に示すように、老人ホームや高齢者用の集合住宅の管理室等に設置される生活情報監視盤１と、スピーカ２ａを有する居室親機２と、住戸アダプター３と、パッシブセンサ等から成る人体感知センサ４と、在／不在設定ボタン５と、電気錠６と、呼出ボタン７と、天井マイク８と、天井スピーカ９と、ドアホン１０と、廊下灯１１および時間設定部１２を備えている。ここで、生活情報監視盤１は伝送路Ｌ１を介して住戸アダプター３に接続され、この住戸アダプター３には、居室親機２、人体感知センサ４、在／不在設定ボタン５、電気錠６、呼出ボタン７、天井マイク８、天井スピーカ９、ドアホン１０、廊下灯１１および時間設定部１２が接続されている。なお、伝送路Ｌ１は、図２に示すように、音声多重線Ｌ１ａとデータ多重線Ｌ１ｂから成るペア線で構成されている。
【００１４】
住戸アダプター３は、図２に示すように、制御部３１、通話回路３２、インターフェース部３３、送信回路３４、受信回路３５、誤設定監視タイマ３６および生活異変監視タイマ３７の各部で構成されている。ここで、制御部３１は、通話回路３２、インターフェース部３３、送信回路３４、受信回路３５、誤設定監視タイマ３６および生活異変監視タイマ３７に接続され、通話回路３２には、天井マイク８および天井スピーカ９が接続され、また、インターフェース部３３には、居室親機２、人体感知センサ４、在／不在設定ボタン５、電気錠６、呼出ボタン７、ドアホン１０、廊下灯１１および時間設定部１２が接続されている。また、通話回路３２は音声多重線Ｌ１ａを介して生活情報監視盤１に接続され、送信回路３４および受信回路３５はデータ多重線Ｌ１ｂを介して生活情報監視盤１に接続されている。
【００１５】
次に、このように構成された生活異変感知システムの動作について説明する。
【００１６】
先ず、施工時において、人体感知センサ４のメイク／ブレイク設定ＳＷ４ａを、人体感知センサ４が正常に動作するように設定した場合、すなわち、メイク／ブレイク設定ＳＷ４ａをメイク設定とした場合、人体感知センサ４が居住者の動きを検知すると、図３（ａ）に示すように、人体感知センサ４からワンショットのメイク信号Ｓ１が出力され、また、人体感知センサ４が居住者の動きを検知しないと人体感知センサ４はブレイク状態になる。ここで、生活異変監視タイマ３７は、ブレイク状態の時間を監視しており、ブレイク状態が設定した時間（例えば１２時間）を継続すると、制御部３１において、居住者に生活上の異変が生じていると判断され、制御部３１から生活異変信号が出力されるように構成されている。また、誤設定監視タイマ３６は、メイク信号Ｓ１が出力される時間を監視しており、メイク信号Ｓ１の出力が設定した時間（例えば６０秒）を継続すると、制御部３１において、メイク／ブレイク設定ＳＷ４ａの設定が誤りであると判断され、制御部３１から警告信号が出力されるように構成されている。
【００１７】
従って、施工時に、人体感知センサ４のメイク／ブレイク設定ＳＷ４ａをメイク設定にした場合は、人体感知センサ４が居住者の動きを検知しないと、すなわち、居住者に生活上の異変が生じていると、人体感知センサ４はブレイク状態になる。そして、このブレイク状態が生活異変監視タイマ３７によって１２時間以上検知されると、制御部３１において、居住者に生活上の異変が生じていると判断されることになる。そうすると、制御部３１の制御により、天井スピーカ９および（または）居室親機２のスピーカ２ａから警報音が発報され、また、必要により、廊下灯１１が点滅する。これにより、当該住戸内の他の居住者若しくは住戸の玄関付近の通行人に対して、老人等の居住者に生活上の異変が生じていることが報知される。また、これと共に、制御部３１から当該住戸のアドレスを含有する生活異変信号が出力され、この生活異変信号が送信回路３４およびデータ多重線Ｌ１ｂを介して生活情報監視盤１へ送出される。これにより、当該住戸の居住者の在室時に生活上の異変が生じていることが管理室等に報知されることになる。
【００１８】
なお、人体感知センサ４が居住者の動きを検知すると、人体感知センサ４からワンショットのメイク信号Ｓ１が出力されることから、メイク信号Ｓ１が誤設定監視タイマ３６で設定した時間（例えば６０秒）継続して出力されることはない。
【００１９】
これに対して、施工時に、誤って、人体感知センサ４のメイク／ブレイク設定ＳＷ４ａを誤設定した場合、すなわち、メイク／ブレイク設定ＳＷ４ａをブレイク設定にした場合は、人体感知センサ４が居住者の動きを検知すると、図３（ｂ）に示すように、人体感知センサ４からワンショットのブレイク信号Ｓ２が出力され、また、人体感知センサ４が居住者の動きを検知しないと、人体感知センサ４は、メイク状態になる。
【００２０】
ところで、施工時の設定を終えると、通常は住戸内に人が居なくなることから、メイク／ブレイク設定ＳＷ４ａをブレイク設定にした場合は、人体感知センサ４はメイク状態が継続されることになる。そして、このメイク状態が誤設定監視タイマ３６によって６０秒以上検知されると、制御部３１において、メイク／ブレイク設定ＳＷ４ａの設定が誤りであると判断されることになる。そうすると、制御部３１の制御により、天井スピーカ９および（または）居室親機のスピーカ２ａから警告音が出力し、また、必要により、廊下灯１１が点滅する。これにより、人体感知センサ４の設定者に対して、施工時におけるメイク／ブレイク設定ＳＷ４ａの設定が誤りであることが報知される。
【００２１】
なお、前述の実施例においては、メイク／ブレイク設定ＳＷの正常設定をメイク設定として、ブレイク状態を生活異変監視タイマで監視し、誤設定をブレイク設定として、メイク信号の出力を誤設定監視タイマで監視する場合について説明しているが、メイク／ブレイク設定ＳＷの正常設定をブレイク設定として、メイク状態を生活異変監視タイマで監視し、誤設定をメイク設定として、ブレイク信号の出力を誤設定監視タイマで監視するようにしてもよい。また、生活異変監視タイマおよび誤設定監視タイマの設定時間をそれぞれ１２時間および６０秒に設定しているが、これらの設定時間は、住戸の居住者の生活態様等に応じて、時間設定部１２の操作により、適宜変更することができる。
【発明の効果】
【００２２】
以上の説明から明らかなように、本発明の生活異変感知システムによれば、施工時に、メイク／ブレイク設定ＳＷの設定を誤ると、誤設定監視タイマが作動して天井スピーカや居室親機のスピーカ等から警告音が放音するように構成されていることから、施工時におけるメイク／ブレイク設定ＳＷの誤設定を防止することができる。
【図面の簡単な説明】
【図１】  本発明の生活異変感知システムのシステム構成図。
【図２】  本発明の生活異変感知システムにおける住戸アダプターのブロック図。
【図３】  本発明の生活異変感知システムにおける人体感知センサから出力される信号の波形図。
【図４】  従来の生活異変感知システムのシステム構成図。
【図５】  従来の生活異変感知システムにおける人体感知センサから出力される信号の波形図。
【符号の説明】
１・・・生活情報監視盤
２・・・居室親機
２ａ・・・スピーカ
３・・・住戸アダプター
３６・・・誤設定監視タイマ
３７・・・生活異変監視タイマ
４・・・人体感知センサ
９・・・天井スピーカ
１１・・・廊下灯
１２・・・時間設定部
【図１】
0003744840.tif 000002
【図２】
0003744840.tif 000003
【図３】
0003744840.tif 000004
【図４】
0003744840.tif 000005
【図５】
0003744840.tif 000006